(57)【要約】【課題】設置するための労力やコスト、維持コストを低く抑えることが可能で、耐用期間が長い資材であって、猪や鹿等の野生動物による食害が多く発生している夜中に、これらの野生動物が侵入するのを防止するために使用できる資材及び侵入防止方法を提供する。【解決手段】遮光率が６０％以上、Ｌ値４０以下である布帛を野生動物の侵入を防止したい区域の周囲に張り巡らす。布帛は黒色原着スパンボンド不織布であることが好ましい。スパンボンド不織布においては、ニードルパンチが施されたものが好ましい。【選択図】    なし【特許請求の範囲】
【請求項１】
遮光率が６０％以上、Ｌ値が４０以下である布帛からなることを特徴とする野生動物侵入防止用資材。
【請求項２】
布帛が黒色原着スパンボンド不織布である請求項１記載の野生動物侵入防止用資材。
【請求項３】
野生動物の侵入を防止する区域の周囲に請求項１または請求項２に記載の野生動物侵入防止用資材を張り巡らすことを特徴とする野生動物侵入防止方法。
【発明の詳細な説明】
【０００１】
【発明の属する技術分野】
本発明は、猪や鹿等の野生動物が夜中に田畑等に侵入するのを防止するのに適した資材及びこれを用いた野生動物侵入防止方法に関するものである。
【０００２】
【従来の技術】
従来、猪や鹿等の野生動物が田畑等に侵入するのを防止する方法として、金網、鉄条網、鉄柵、塩化ビニルシート等の合成樹脂フィルム、繊維製ネット、電流を流した電線等を用いて田畑等の周囲を取り囲むという方法が実施されていた。これらはいずれも田畑等の周囲に遮蔽物を設けて野生動物の侵入を防止しようという考え方で、それぞれ設置するための労力やコスト、維持コスト、耐用年数等において一長一短があるものであった。
【０００３】
これらの方法に対して、野生動物が近づかないようにするとの考え方に基づいた方法が提案されている。例えば、特許文献１には、動物に生理的嫌悪感をもたらす忌避剤を塗布あるいは含浸した繊維製ネットを用いる方法が提案されている。また特許文献２には、周囲に刺激臭を発する植物を植生する方法が提案されている。
【０００４】
【特許文献１】
特開平６−２３７６８０号公報
【０００５】
【特許文献２】
特開２００２−３４４３１号公報
【０００６】
【発明が解決しようとする課題】
本発明は、上記の状況に鑑み、野生動物が近づかないようにするとの考え方に基づいた方法であって、設置するための労力やコスト、維持コストを低く抑えることが可能で、耐用期間が長い資材であって、野生動物による食害が多く発生している夜中に、野生動物が侵入するのを防止するために使用できる資材及び侵入防止方法を提供することを課題とするものである。
【０００７】
【発明を解決するための手段】
本発明は、上記の課題を解決するものであり、遮光率が６０％以上、Ｌ値が４０以下である布帛からなることを特徴とする野生動物侵入防止用資材、及び布帛が黒色原着スパンボンド不織布である上記の野生動物侵入防止用資材、並びに野生動物の侵入を防止する区域の周囲に上記の野生動物侵入防止用資材を張り巡らすことを特徴とする野生動物侵入防止方法を要旨とするものである。
【０００８】
【発明の実施の形態】
以下、本発明について詳細に説明する。
【０００９】
本発明は、猪や鹿等の野生動物が夜中に行動する場合に、暗くてその先が見通すことができないと、恐怖感をおぼえて先に進むことを躊躇する習性があることを利用して、野生動物が保護したい田畑等に近づくことを防止するものである。
【００１０】
本発明の野生動物侵入防止用資材は、遮光率が６０％以上、Ｌ値が４０以下である布帛からなるものである。本発明でいう布帛とは、織物、寒冷紗、編物、不織布をいう。布帛を構成する繊維素材は、綿、麻等の天然繊維、レーヨン等の再生繊維、ポリアミド、ポリエステル、アクリル、ビニロン等の合成繊維等いわゆる紡織繊維のいずれでもよく、これらの繊維が混用されていてもよい。また、フィルム等を細幅に裁断したテープヤーンを繊維素材として用いてもよい。
【００１１】
織物や編物である場合、その組織はいずれであってもよい。
【００１２】
また、布帛が不織布である場合、上記の繊維の短繊維からなる短繊維不織布であっても、ポリアミド、ポリエステル、ポリエチレン、ポリプロピレン等の合成樹脂をスパンボンド法やフラッシュ紡糸法等によって不織布とした長繊維不織布であってもよい。また、コスト等の点で優れているため、スパンボンド不織布を好ましく用いることができ、さらにニードルパンチが施されることにより、構成繊維同士が交絡してなるスパンボンド不織布は、引裂強力が優れるため、長期間の展張において耐久性に優れる。
【００１３】
本発明で野生動物侵入防止用資材として布帛を採用するのは、布帛は繊維間、あるいは組織間に空隙を有していて、通気性を有しているからである。フィルムのように通気性のないシートを野生動物侵入防止用資材として用いると、少しの風によって倒壊する恐れがあり、また、風雨等によるはためきによって取り付け部分が破損してしまいやすくなる。布帛の場合には、通気性を有しているため、また、引裂強力に優れているために、これらの事故を発生するリスクが軽減できる。
【００１４】
本発明の野生動物侵入防止用資材は、遮光率が６０％以上であることが必要であり、好ましくは７５％以上、より好ましくは８５％以上である。また、本発明の野生動物浸入防止資材は、Ｌ値が４０以下であることが必要であり、好ましくは３０以下である。
【００１５】
本発明における遮光率は、次の方法で測定したものである。すなわち、ＪＩＳＬ１９０６に準じた装置にて、光源としてレフランプカラー用５００Ｗ（品番：ＰＲＦ−５００）を用い、試料取り付け部から３０ｃｍの位置に置き、光源の光度を照度計が２０００ルックスを示すように調整し、試料取り付け部に試料を取り付け、その時の照度計の値Ａを読み取る。そして遮光率を次式により算出する。
遮光率（％）＝（（２０００−Ａ）／２０００）×１００
【００１６】
また、本発明におけるＬ値は、次の方法で測定したものである。すなわち、色彩色差計（データプロセッサ  ＤＰ−３００、測定ヘッド  ＣＲ−３１０：ミノルタ社製）を用い、測定箇所の試料の目付が３００ｇ／ｍ２以上となるように、布帛を折りたたみ、設置して測定した。測定の際は、測定個所を変えて４個所測定し、得られた値の平均値をＬ値とした。なお、布帛の表裏面の形態が異なるものについては、各面共に２個所づつ測定し、それらの平均値をＬ値とした。
【００１７】
布帛の遮光率を６０％以上とするには、布帛を構成する繊維間あるいは糸条間の間隔を小さくして光を通しにくくするとよく、織物や編物の場合には、ツイルやサテン調の糸条間の空隙が透かして見えにくい組織とするのが好ましい。不織布の場合は、目付が大きくなる程光を遮る効果が出る。さらにＬ値を４０以下とするには、布帛は濃色に着色されているものを用いるとよい。この場合の色相としては黒色が好ましい。布帛を濃色に着色する方法としては、布帛を染色する方法と、繊維原料に顔料等の着色剤を混合して繊維を形成させて原着繊維とする方法がある。布帛を黒色に着色することにより、布帛の目付が５０〜１００ｇ／ｍ２であっても遮光率を６０％以上とすることができる。ポリエステル等の合成樹脂にカーボン等の黒色の顔料を混練してスパンボンド方式により製造した黒色原着スパンボンド不織布は、コスト面でも有利に製造でき、本発明の野生動物侵入防止用資材として好適な布帛である。繊維原料、製造法、コスト、不織布の性能等を考慮すると、黒色原着ポリエステルスパンボンド不織布であるのが最も好ましい。
【００１８】
また、布帛に耐候性を付与することも好ましい。耐候性を付与する方法としては、公知の耐候剤（酸化防止剤、紫外線吸収剤、紫外線反射剤等）を布帛に付与すればよく、例えば、布帛を構成する繊維に練り込む、耐候剤を繊維に付着させる、耐候剤入りのバインダー樹脂等を布帛にコーティングや含浸する等が挙げられる。
【００１９】
本発明の野生動物侵入防止方法は、野生動物が侵入するのを防止したい区域の周囲に上記の野生動物侵入防止用資材を張り巡らすものである。野生動物侵入防止用資材を張り巡らすには、適当な間隔にて杭を立てて、対象動物の高さ程度の幅に調整した上記資材を適当な止め具によって止めて張り巡らせればよい。このように遮光率が６０％以上、Ｌ値が４０以下の布帛を作物や果実を植生した田畑等の周囲に張り巡らせておくと、夜中に猪や鹿等の野生動物が近づいてきた時、暗くて前方が見えず恐怖感をおぼえて突進することを躊躇し、結果的に侵入を防止できることになる。
【００２０】
【実施例】
次に本発明を実施例により具体的に説明する。実施例における性能評価は、下記の方法によって行った。なお、遮光率、Ｌ値については、上記したとおりである。
１）通気度
ＪＩＳ  Ｌ１９０６フラジール形法に準じて測定した。
２）厚さ
ＪＩＳ  Ｌ１９０６に準じて測定した。
３）引裂強力
ＪＩＳ  Ｌ１９０６  シングルタング法に準じて測定した。
【００２１】
実施例１
ポリエチレンテレフタレートにカーボンブラックを０．３５％混練してスパンボンド法により製造した単繊維繊度が３．８デシテックスの黒色原着スパンボンド不織ウエブにニードルパンチを施して、構成繊維同士が三次元的に交絡してなる不織布とした後、アクリル樹脂（東洋インキ株式会社  トークリルＤｕ）を繊維質量に対して１４％含浸により付与し、幅１２０ｃｍにスリットして、目付が１１０ｇ／ｍ２の本発明の野生動物侵入防止用資材を得た。得られた野生動物侵入防止用資材の遮光率９４％、Ｌ値２９、通気度１９０ｃｃ／ｃｍ２・秒、厚み０．９８ｍｍ、引裂強力８６Ｎであった。
【００２２】
比較例１
実施例１において、スパンボンド不織布を製造するに際して、ポリエチレンテレフタレートにカーボンブラックを使用しないこと以外は、実施例１と同様にして得た不織布を比較例１とした。得られた不織布の遮光率８７％、Ｌ値６３、通気度２００ｃｃ／ｃｍ２・秒、厚み１．０１ｍｍ、引裂強力９０Ｎであった。
【００２３】
比較例２
黒色フィルムからなるマルチング材（積水フィルム株式会社製  厚み０．０２ｍｍ、幅１３５ｃｍ）を比較例２とした。フィルムの遮光率は９９％で、通気性はなかった。
【００２４】
三重県四日市市の里芋農園にて、３０ｍ四方の里芋畑の外周に沿って、１．５ｍ間隔で杭（２０φ）を立て、実施例１の資材を取り付けて、３０ｍ四方の里芋畑の外周に資材を張り巡らして囲んだ。
【００２５】
次いで、上記実施例１の資材を張り巡らせた３０ｍ四方の里芋畑より約１０ｍ離れた里芋畑（３０ｍ四方）に、実施例１と同様に、比較例１の資材を取り付け、さらに、比較例１の資材を張り巡らせた里芋畑より約１０ｍ離れた里芋畑（３０ｍ四方）に、実施例１と同様に比較例２の資材を取り付けた。２００２年９月初旬に取り付けを行い、これより１カ月間、動物に侵入状況を観察したところ、比較例１を用いた区域へは、夜中に猪の侵入の形跡があったが、実施例１及び比較例２の区域には、侵入の形跡はなく、作物の被害は全くなかった。ただし、比較例２は、風によるはためきのために取り付け部に破損を生じていた。
【００２６】
また、２００２年７月初旬に、稲作を行っている田圃に、上記と同様で、資材の幅を１００ｃｍとした実施例１の資材を取り付けて、田圃周囲を張り巡らせた。上記取り付けより、８月末の収穫前まで、動物の侵入状態を観察したが、野生動物（猪）による食害は全くなかった。
【００２７】
【発明の効果】
本発明のように遮光率が６０％以上、Ｌ値４０以下である布帛からなる資材を野生動物による食害を防止したい区域の周囲に張り巡らしておくと、夜中に野生動物が近づいてきても先が暗くて進むことを躊躇し、中への侵入を防止できる。